(57)【要約】【課題】衣類等を掛けるよう構成されたハンガー部を有する椅子において、ハンガー部を上昇させて保持させるための一連の操作を片手により簡単な操作で行えるようにする。【解決手段】背もたれ１３を有する椅子本体１と、衣類等を掛けるよう構成されたハンガー本体２１を有し前記椅子本体１に取り付けられるハンガー部２を具備する椅子Ｃにおいて、ハンガー本体２１の高さ位置が背もたれ１３の上端１３ｘと略同一である収納位置Ｎと、前記収納位置Ｎよりも上方に位置する使用位置Ｕとのいずれかにハンガー部２を選択的に保持する機能を有するクリックストップ機構ＣＳをさらに具備する。【選択図】図９
2004174145.tif 000002
【特許請求の範囲】
【請求項１】
背もたれを有する椅子本体と、衣類等を掛けるよう構成されたハンガー本体を有し前記椅子本体に取り付けられるハンガー部とを具備するものであって、
ハンガー本体の高さ位置が背もたれの上端と略同一である収納位置と、前記収納位置よりも上方に位置する使用位置とのいずれかにハンガー部を選択的に保持する機能を有するクリックストップ機構をさらに具備することを特徴とする椅子。
【請求項２】
背もたれを有する椅子本体と、衣類等を掛けるよう構成されたハンガー本体を有し前記椅子本体に取り付けられるハンガー部とを具備するものであって、
椅子本体に、ハンガー部を載置してハンガー本体の高さ位置が背もたれの上端と略同一である収納位置に保持する部位であるハンガー保持部を設けているとともに、前記収納位置よりも上方に位置する使用位置にハンガー部を保持する機能を有するクリックストップ機構をさらに具備することを特徴とする椅子。
【請求項３】
前記収納位置において、ハンガー本体を前記背もたれと平面視略隙間なく配置していることを特徴とする請求項１又は２記載の椅子。
【請求項４】
前記ハンガー本体を、椅子本体の幅寸法の略全域にわたって設けていることを特徴とする請求項１、２又は３記載の椅子。
【請求項５】
ハンガー本体から下方に延伸して設けられ、このハンガー本体を支持するハンガー支柱を１本だけ設けていることを特徴とする請求項１、２、３又は４記載の椅子。
【請求項６】
前記ハンガー支柱を可撓性のものに構成していることを特徴とする請求項５記載の椅子。
【請求項７】
前記ハンガー本体と前記ハンガー支柱とを一体に形成していることを特徴とする請求項５又は６記載の椅子。
【請求項８】
前記使用位置において、ハンガー本体を背もたれの背面よりも平面視後方に位置づけていることを特徴とする請求項１、２、３、４、５、６又は７記載の椅子。
【請求項９】
前記ハンガー部をハンガー取付具を介して椅子本体に取り付けるように構成しているものであって、前記クリックストップ機構が、前記ハンガー取付具に設けた弾性力により進退可能な係止部材と、前記ハンガー支柱に設けた前記係止部材と係合する係止穴とを具備し、前記係止部材を前記係止穴と係合させることにより機能してハンガー部を保持するようにしているとともに、ハンガー部を昇降させる力の一部を係止部材と係止穴との係合を解除させる力に変換するように構成していることを特徴とする請求項５、６、７又は８記載の椅子。
【請求項１０】
前記係止部材の前記係止穴と対向する部位をテーパー状に形成していることを特徴とする請求項９記載の椅子。
【請求項１１】
最も下方に位置する前記係止穴の下縁部を、この係止穴の上縁部及び他の係止孔の下縁部と比較して、より隆起させた形状に構成していることを特徴とする請求項９又は１０記載の椅子。
【請求項１２】
最も下方に位置する前記係止穴の下縁部を、テーパー状に形成していることを特徴とする請求項１１記載の椅子。
【請求項１３】
高さ位置の異なる複数の使用位置を設定していることを特徴とする請求項１、２、３、４、５、６、７、８、９、１０又は１１記載の椅子。
【発明の詳細な説明】
【０００１】
【発明の属する技術分野】
本発明は、衣類等を掛け得るハンガーを具備する椅子に関する。
【０００２】
【従来の技術】
従来、自席でデスクワークを行う際に、上着を脱いで自分の椅子の背凭れに掛けるということが行われていたが、その際に袖や裾が床にこすれて汚れる等の不具合が生じていた。これを解決するために、上着を掛けるためのハンガー部を背凭れに取り付けた椅子が種々開発されている。（例えば、特許文献１及び２参照。）
【０００３】
【特許文献１】
実開昭４８−４８９２２
【特許文献２】
特開２０００−１１６４９３
【０００４】
【発明が解決しようとする課題】
ところが、特許文献１記載の構成の椅子は、ハンガー部に衣服を掛ける際に、ハンガー部を固定しているネジを緩めてからハンガー部を上昇させるようにしていて、また、所望のハンガー部の高さ位置を得た段階でネジを締めてハンガー部を再び固定して保持させる必要がある。すなわち、少なくともハンガー部を再び固定して保持させる操作は両手を用いて行う必要がある。
【０００５】
また、特許文献２記載の椅子では、ハンガー部に衣服を掛ける際に、アジャストレバーを押さえてラチェット爪とラチェット歯との係合を解除した状態でハンガー部を上昇させるようにしている。このように構成された椅子も、ハンガー部を上昇させる操作はアジャストレバーを押さえながら行う必要がある。すなわち、ハンガー部を上昇させて所望の位置に保持させる一連の操作には両手を用いる必要がある。
【０００６】
しかし、このようにハンガー部の操作を両手を用いて行う必要がある構成においては、ハンガー部に掛ける衣服を脱いで片手に持ったままハンガー部を上昇させて保持させるための一連の操作を行うことが困難である。
【０００７】
本発明は、以上に述べた課題を解決し、ハンガー部を上昇させて保持させるための一連の操作を片手により簡単な操作で行えるようにするものである。
【０００８】
【課題を解決するための手段】
すなわち本発明に係る椅子は、背もたれを有する椅子本体と、衣類等を掛けるよう構成されたハンガー本体を有し前記椅子本体に取り付けられるハンガー部とを具備するものであって、ハンガー本体の高さ位置が背もたれの上端と略同一である収納位置と、前記収納位置よりも上方に位置する使用位置とのいずれかにハンガー部を選択的に保持する機能を有するクリックストップ機構をさらに具備することを特徴とする。
【０００９】
このように構成したものであれば、クリックストップ機構を機能させることによりハンガー部を前記収納位置又は前記使用位置に保持するようにできるので、ハンガー部を収納位置に保持させた状態を解除し、ハンガー部を上昇させて使用位置に保持させる一連の操作を、ハンガー部そのものを収納位置から引き出し、使用位置まで上昇させる簡単な操作により行うことができる構成を実現できるようになる。さらに、収納位置において、ハンガー本体の高さ位置を背もたれの上端と略同一にし、ハンガー本体と背もたれの上端とを近接させているので、ハンガー部に掛ける衣服を脱いで片手に持った状態でも、ハンガー本体を収納位置から引き出す操作を、背もたれの上端とハンガー本体とにそれぞれもう片方の手の指又は手首を掛け、背もたれの上端を支点としてハンガー本体に上昇させる力を加えることにより行うことができるようになる。すなわち、ハンガー部を上昇させて保持させるための一連の操作を片手により簡単な操作で行える構成を実現できるようになる。加えて、このように構成しているものであれば、ハンガー部を使用位置から収納位置まで移動させて収納位置に保持させることや、使用位置を複数設定した場合に使用位置間を昇降移動させて移動させた先の使用位置に保持させることも、ハンガー部そのものを片手で把持して昇降させる力を加え、ハンガー部を所望の位置まで移動させるだけの簡単な操作により行うことができる構成を実現できるようになる。
【００１０】
上述した効果を得るための他の態様として、背もたれを有する椅子本体と、衣類等を掛けるよう構成されたハンガー本体を有し前記椅子本体に取り付けられるハンガー部とを具備するものであって、椅子本体に、ハンガー部を載置してハンガー本体の高さ位置が背もたれの上端と略同一である収納位置に保持する部位であるハンガー保持部を設けているとともに、前記収納位置よりも上方に位置する使用位置にハンガー部を保持する機能を有するクリックストップ機構をさらに具備することを特徴とするものが挙げられる。このように構成したものは、前段で述べた構成と比較して、前記収納位置と前記使用位置とのいずれかにハンガー部を選択的に保持する機能を有するクリックストップ機構を具備させる代わりに、椅子本体に、ハンガー部を載置してハンガー本体の高さ位置が背もたれの上端と略同一である収納位置に保持する部位であるハンガー保持部を設けているが、ハンガー部を収納位置に保持させた状態の解除は、ハンガー部そのものを持ち上げる簡単な操作により行うことができるからである。なお、ハンガー保持部は、ハンガー本体を保持するようにしてもよいし、ハンガー部のハンガー本体以外の箇所を保持するようにしてもよい。
【００１１】
収納位置にあるハンガー部を引き上げて使用位置に移動させるように誘導するには、上述した構成に加えて、前記収納位置においてハンガー本体を前記背もたれと平面視略隙間なく配置すればよい。このように構成すれば、前記収納位置に保持させたハンガー部のハンガー本体は背もたれの上端に略隙間なく沿うので、前記収納位置にハンガー部を位置させた状態でハンガー本体に衣服を掛けると、椅子の背もたれに掛ける場合と同様の不具合が発生することが容易に認識されるからである。さらに、ハンガー本体と背もたれの上端とが一層近接するので、上述した背もたれの上端を支点としてハンガー部を収納位置から片手で引き上げる操作を一層容易に行うことができる。なお、本発明において「ハンガー本体を前記背もたれと平面視略隙間なく配置する」とは、ハンガー本体と背もたれとの間の空間の奥行き寸法が、一般的な衣類の厚さ以下であること全般を含む概念である。
【００１２】
操作の利便性をさらに向上させるには、前記ハンガー本体を、背もたれの幅寸法の略全域にわたって設ければよい。背もたれの幅寸法のどの部分に手を掛けてもハンガー本体を把持してこのハンガー本体を引き上げるようにできるからである。
【００１３】
ハンガー部の昇降動作をより簡単に行えるようにするには、ハンガー本体から下方に延伸して設けられ、このハンガー本体を支持するハンガー支柱を１本だけ設けるとよい。ハンガー支柱を複数設ける構成では、ハンガー支柱を同期して昇降させる必要があるが、このように構成するとハンガー支柱が１本であるのでハンガー支柱の昇降を同期させて行う必要がないからである。
【００１４】
ハンガー部を押して椅子を動かそうとし、ハンガー部に無理な力がかかる不具合を起こりにくくするには、前記ハンガー支柱を可撓性のものにすればよい。このようにすれば、ハンガー部を前方に押すと椅子が移動し始めるより以前にハンガー支柱が撓むので、ハンガー部が椅子を移動させるための把手ではないことを容易に認識させることができるからである。また、このようにすれば、ハンガー本体に掛けた衣類を斜めに引っ張っても、ハンガー支柱がねじれて、つれてハンガー本体が向きを変えるので、ハンガー本体に掛けた衣類を取り出す際にハンガー本体に衣類が引っ掛かりにくくなるようにもできる。
【００１５】
ハンガー部の昇降動作の便の更なる向上を図るには、前記ハンガー本体と前記ハンガー支柱とを一体に形成するとよい。このように構成すれば、ハンガー本体にハンガー部を昇降させる作用を加える際に、ハンガー本体とハンガー支柱との間にこれらを接合する部材がないので作用が直接ハンガー支柱に伝わり、効果的にハンガー部を昇降させることができるからである。
【００１６】
衣類を着座者自身の背中で押さえて衣類に皺を作る不具合を起こりにくくするには、前記使用位置において、ハンガー本体を背もたれの背面よりも平面視後方に位置づければよい。このように構成すると、ハンガー部を使用位置に保持させた状態において、ハンガー本体に掛けた衣類をも背もたれの背面よりも平面視後方に位置づけることができるからである。
【００１７】
このようなクリックストップ機構を簡単に実現するための構成として、前記ハンガー部をハンガー取付具を介して椅子本体に取り付けるように構成しているものであって、前記クリックストップ機構が、前記ハンガー取付具に設けた弾性力により進退可能な係止部材と、前記ハンガー支柱に設けた前記係止部材と係合する係止穴とを具備し、前記係止部材を前記係止穴と係合させることによりハンガー部を保持するようにしているとともに、ハンガー部を昇降させる力の一部を係止部材と係止穴との係合を解除させる力に変換するように構成しているものが挙げられる。
【００１８】
簡単な構成でハンガー支柱を昇降させる力を係止部材と係止穴との係合を解除させる力として作用させるには、前記係止部材の前記係止穴と対向する部位を、テーパー状に形成すればよい。
【００１９】
このようなハンガー部材を、誤って最も上方に位置する使用位置からさらに上方に引き上げて、ハンガー部材をハンガー取付具及び椅子本体から抜脱させてしまう誤操作を防ぐには、最も下方に位置する前記係止穴の下縁部を、この係止穴の上縁部及び他の係止孔の下縁部と比較して、より隆起させた形状に構成すればよい。
【００２０】
前段で述べた構成に加えて、最も下方に位置する前記係止穴の下縁部をテーパー状に形成しているものであれば、衣類が強い力で無理に上方に引張られた場合に、衣類の上方への移動に追随してハンガー部がハンガー取付具及び椅子本体から抜脱するようにできるので、衣類が破れる不具合の発生を抑えることができる。
【００２１】
種々の衣類をハンガー本体に好適に掛けることができるようにするには、高さ位置の異なる複数の使用位置を設定すればよい。このようにすれば、衣類の長さに応じて好適な高さ位置を有する使用位置を選択してハンガー部を保持させるようにできる。しかも、それぞれの使用位置においてハンガー部をクリックストップ機構により保持させているので、使用位置の切り替えを簡単に行うことができるようになる。
【００２２】
なお、本発明においては、本発明に係る椅子の着座者が向かう方向を前方とする。
【００２３】
【発明の実施の形態】
以下、本発明の一実施形態を、図面を参照して説明する。
【００２４】
本実施形態に係る椅子Ｃは、図１に正面図、図２に背面図、図３に側面図、図４に平面図をそれぞれ示すように、背もたれ１３を有する椅子本体１と、この椅子本体１、本実施形態では背もたれ１３に取り付けられるハンガー部２とを具備する。
【００２５】
前記椅子本体１は、脚１１と、脚１１に支持させた座１２と、この座１２の後方から起立する背もたれ１３と、座１２の側方から起立させた肘１４とを具備し、オフィス等において従来用いられている椅子として周知のものと同様に構成されている。なお、本実施形態では背もたれ１３の背面は後方に向かって膨出した形状をなしている。
【００２６】
前記ハンガー部２は、図５に示すように、ハンガー本体２１と、このハンガー本体２１の幅方向中央部の下端から鉛直下方に延伸して設けられている１本のハンガー支柱２２とを具備する。そして、前記図１〜図４の想像線に示す収納位置Ｎと、前記図１〜図４の実線に示す使用位置Ｕとのいずれかに選択的に保持される。さらに、本実施形態では、このハンガー部２は、合成樹脂、本実施形態ではポリプロピレンによりハンガー本体２１とハンガー支柱２２とを一体に形成している。なお、前記図５において、（ａ）は正面図、（ｂ）は側面図、（ｃ）は平面図である。
【００２７】
前記ハンガー本体２１は、前記図１、図２、及び図４に示すように背もたれ１３の幅寸法の略全域にわたって設けられ、背もたれ１３の背面に略隙間なく当接可能な形状、すなわち背もたれの背面と略同一の曲率で後方に向かって膨出した形状をなしている。また、その厚さ寸法を左右両端部から幅方向中央部に向けて滑らかに増大させている。
【００２８】
前記ハンガー支柱２２は、上述したようにポリプロピレンを用いて形成され、ハンガー本体２１の幅方向中央部の下端から鉛直下方に延伸して設けられていて、前後方向を向く板状をなす。また、その前面の左右両側端には、長手方向、すなわち上下方向に伸びる突条２２ａが２本ずつ設けてある。さらに、このハンガー支柱２２は、可撓性を有する。すなわち、ハンガー本体２１を前後に移動させる力が加えられると、このハンガー支柱２２は力を加えられた方向に撓む。また、ハンガー本体２１の側端部を前方又は後方に移動させるような力が加えられると、このハンガー本体２１が追随して向きを変えるようにすべく、ハンガー支柱２２がねじれる。但し、このハンガー支柱２２は一般的な体格を有する成人用の衣類をハンガー本体２１に掛けた場合には撓まない程度の剛性を備えている。
【００２９】
前記ハンガー部２は、本実施形態では、ハンガー取り付け具３を介して前記椅子本体１の背もたれ１３に昇降可能に取り付けられている。このハンガー取付具３は、背もたれ１３の背面１３ａかつ上端１３ｘ近傍にその前面を当接させて取り付けるベース３１と、前方に開口したチャネル状をなし、前記ベース３１の後方に取り付けられるブラケット３２と、前記ベース３１及び前記ブラケット３２を後方及び両側方から包囲して外部から隠蔽するハンガー取付具カバー３３とを具備する。
【００３０】
ベース３１は、図６に示すように、板状をなす取付部３１１と、この取付部３１１の上端から後上方に起立する上板３１２と、前記取付部３１１及び前記上板３１２の後面から後方に突出して設けられ、後述する係止部材３４を取り付ける係止部材取付台３１３とを具備し、取付部３１１の前面を背もたれ１３の背面に取り付けるようにしている。また、前記係止部材取付台３１３の幅寸法は、前記ハンガー支柱の内側の突条２２ａ間の寸法と略一致させてある。本実施形態では、このベース３１は、硬質プラスチックにより形成されている。なお、前記図６において、（ａ）は正面図、（ｂ）は背面図、（ｃ）は側面図、（ｄ）は平面図、（ｅ）は底面図である。
【００３１】
ブラケット３２は、図７に示すように、前方に開口したチャネル状をなし、前記ベース３１の後方に取り付けられる。また、本実施形態では板金加工により形成されている。具体的には、前記ベース３１の取付部３１１及び係止部材取付台３１３に対向する背板３２１と、背板３２１の左右両端と前記ベース３１の取付部３１１の左右両端とをそれぞれ接続する形状の側板３２２と、側板３２２の前端の上下両端近傍を内方に屈曲して設けられ、前記ベース３１の取付部３１１に当接するとともに雌ネジ孔３２ａを有する取付部３２３とを有する。そして、椅子Ｃの上部の中央側断面図である図８及び図９に示すように、前記背板３２１とベース３１との間の空間にハンガー支柱２２を挿し通すようにしている。すなわち、ハンガー支柱２２はこのハンガー取付具３の後部に挿し通される。また、前記雌ネジ孔３２ａを、前記図６に示す前記ベース３１の前板３１１に設けたネジ挿通孔３１ｘと重合させ、図示しない雄ネジ部材を前記雌ネジ孔３２ａにネジ止めすることにより、これらベース３１及びブラケット３２を背もたれ１３に取り付けるようにしている。なお、前記図７において、（ａ）は正面図、（ｂ）は側面図、（ｃ）は平面図である。図８はハンガー部２を収納位置Ｎに保持した状態の中央側断面図、図９の実線はハンガー部２を使用位置Ｕに保持した状態の中央側断面図である。さらに、図８及ぶ図９において、背もたれ１３は想像線により示しているとともに、図９には想像線により収納位置Ｎに保持されたハンガー部２も示している。
【００３２】
ハンガー取付具カバー３３は、図１０に示すように、前記ベース３１及びブラケット３２の側方を隠蔽する側枠３３１と、前記ベース３１及びブラケット３２の上方を隠蔽する上枠３３２と、前記ベース３１及びブラケット３２の下方を隠蔽する底枠３３３と、前記ベース３１及びブラケット３２の後方を隠蔽する背枠３３４とを具備し、合成樹脂により形成されている。そして、この上枠３３２及び底枠３３３の、平面視ハンガー支柱２２に対応する部分には、このハンガー支柱２２を挿し通すハンガー支柱挿通口３３ａが設けてある。すなわち、このハンガー支柱挿通口３３ａは、ハンガー取付具３の後部に設けられている。さらに、このハンガー支柱挿通口３３ａの形状は、ハンガー支柱２の平断面形状に略対応させている。なお、前記上枠３３２は、前記ベースの上板３１２と略面一に構成している。一方、側枠３３１の前端部には係合爪３３ｂが設けてあり、この係合爪３３ｂをベース３１の取付部３１１の前面に設けた係合凹部３１ｂと係合させ、前記ベース３１及び前記ブラケット３２の後方から嵌め込むことにより取り付けるようにしている。また、前記背枠３３４の前面の中央部には、高さ方向に伸びるリブ３３ｃが設けてある。このリブ３３ｃの上端及び下端はテーパー状に形成している。そして、前記ブラケット３２の背板３２１の中央部には円形の位置決め孔３２ｂを設けていて、このハンガー取付具カバー３３を嵌め込む際に、テーパー状に形成した前記リブ３３ｃの上端又は下端が前記位置決め孔３２ｂの端縁に当接して、ハンガー取付具カバー３３の取付位置に誘導するようにしている。なお、前記図１０において、（ａ）は正面図、（ｂ）は側面図、（ｃ）は平面図である。また、ベース３１を背もたれ１３に一体に設けるとともに、カバーとしての機能をも有するブラケットを背もたれ１３に取り付ける態様も考えられる。
【００３３】
しかして本実施形態では、このハンガー部２を、前記図１〜図３及び図９の想像線に示すようにハンガー本体２１の高さ位置を背もたれ１３の上端１３ｘと略一致させている収納位置Ｎと、前記図１〜図３及び図９の実線に示すように前記収納位置Ｎよりも上方に位置する使用位置Ｕとのいずれかに選択的に保持する機能を有するクリックストップ機構ＣＳをさらに具備する。本実施形態では、前記図４に示すように、前記収納位置Ｎにおいて、ハンガー本体２１を前記背もたれ１３と平面視略隙間なく配置している。一方、前記使用位置Ｕにおいては、ハンガー本体２１が背もたれ１３の上端１３ｘより上方に位置し、図３に示すように、ハンガー本体２１を、床面から衣類ＣＬの袖や裾が床面にこすれない程度に高さ方向に離間させているとともに、ハンガー本体２１を背もたれの背面１３ａよりも後方に位置づけている。
【００３４】
具体的には、前記クリックストップ機構ＣＳは、前記ハンガー部２と前記ハンガー取付具３との間、より正確には前記ハンガー支柱２２と前記ハンガー取付具３との間に設けているものであり、前記図８及び図９に示すように、前記ハンガー支柱２２の上端近傍に設けた上係止穴２２ｘ１と、前記ハンガー支柱２２の下端近傍に設けた下係止穴２２ｘ２と、ハンガー取付具３に設けた弾性力により進退可能な係止部材３４とを具備する。そして、前記係止部材３４を弾性力により上係止穴２２ｘ１又は下係止穴２２ｘ２に係合させることにより、クリックストップ機構ＣＳが機能するようにしている。すなわち、前記係止部材３４を弾性力により上係止穴２２ｘ１に係合させることにより、ハンガー部２を前記収納位置Ｎに保持しているとともに、前記係止部材３４を弾性力により下係止穴２２ｘ２に係合させることにより、ハンガー部２を前記使用位置Ｕに保持している。ここで、上係止穴２２ｘ１及び下係止穴２２ｘ２は、請求項中の係止穴として機能する。
【００３５】
さらに詳述すると、前記上係止穴２２ｘ１及び下係止穴２２ｘ２は、前記図５、図８、及び図９に示すように、本実施形態では略すり鉢状に形成している。すなわち、この上係止穴２２ｘ１及び下係止穴２２ｘ２の上縁部を上前方に傾斜させてテーパ−状に形成しているとともに、これら上係止穴２２ｘ１及び下係止穴２２ｘ２の下縁部を下前方に傾斜させてテーパ−状に形成している。また、本実施形態では、下係止穴２２ｘ２の下縁部は、この下係止穴２２ｘ２の上縁部及び前記上係止穴２２ｘ１の下縁部と比較してより隆起させた形状に構成している。
【００３６】
係止部材３４は、本実施形態では、図１１に示すように、略前後方向に伸びる円筒状をなす基部３４ｂと、頂点が略後方に向かう略円錐状をなす先端部３４ａとを具備し、前記図８及び図９に示すように、基部３４ｂにバネＳの一端を挿入するようにしているとともに、バネＳの他端を前記ベース３１の係止部材取付口３１ａの底面に当接させている。また、本実施形態では、前記先端部３４ａの内部には、断面形状が十字状をなすリブ３４ｘを、先端から基端に向けて前記基部３４ｂとの境界近傍まで延伸して設けていて、バネＳの一端をこのリブ３４ｘに当接させている。そして、先端部３４ａは、バネＳの弾性力により常にハンガー支柱２２に当接するように構成していて、前記収納位置Ｎ及び前記使用位置Ｕにおいては、先端部３４ａが上係止穴２２ｘ１及び下係止穴２２ｘ２にそれぞれ対向した状態でこれらを係合させるようにしている。すなわち、この係止部材３４は、上係止穴２２ｘ１及び下係止穴２２ｘ２と対向する部分をテーパー状に形成している。なお、前記図１１において、（ａ）は平面図、（ｂ）は正面図である。
【００３７】
さらに本実施形態では、ハンガー部２を収納位置Ｎから使用位置Ｕへ移動させ、又はその逆方向にスライドさせて移動させる際に、弾性力によりハンガー支柱２２に常にハンガー支柱２２に当接するように構成されている係止部材３４を移動方向ガイドとして利用すべく、係止部材３４が当接する部位、すなわちハンガー支柱２２の前面の幅方向中央部に、上係止穴２２ｘ１の下縁から下係止穴２２ｘ２の上縁近傍にかけて、ガイド溝２２ｍが設けてある。すなわち、ハンガー部２を昇降させる際には、係止部材３４がガイド溝２２ｍに当接するようにしている。但し、下係止穴２２ｘ２の上縁近傍においては、ハンガー支柱２２の前面の幅方向中央部は前下方に向けて傾斜している。すなわち下係止穴２２ｘ２に近づくにつれて次第に深さを減じている。そして、下係止穴２２ｘ２の上縁では、ハンガー支柱２２の前面の幅方向中央部は、逆に左右両側の係止部材３４が当接しない部分よりも前方に隆起している。加えて、このハンガー支柱２２をハンガー取付具３に上方から嵌め入れることによりハンガー部２を椅子本体１に取り付けられるようにすべく、ハンガー支柱２２の前面下端部の幅方向中央部を後下方に向けて傾斜させて、取付ガイド部２２ｇを形成している。
【００３８】
このようにして構成したクリックストップ機構ＣＳは、前記図８に示すように、ハンガー支柱２２の上係止穴２２ｘ１に係止部材３４を係合させた状態で前記収納位置Ｎに保持するようにしているとともに、前記図９の実線に示すように、ハンガー支柱２２の下係止穴２２ｘ２に係止部材３４を係合させた状態で前記使用位置Ｕに保持するようにしている。
【００３９】
ハンガー部２に、前記図８に示す収納位置Ｎから引き上げる力を加えると、上係止穴２２ｘ１の下縁部を介して係止部材３４の下縁部に引き上げ力が伝達される。このとき、係止部材３４の下端部は前上方に向かって傾斜しているとともに、この係止部材３３と上係止穴２２ｘ１の下縁部とがテーパー係合しているので、前記引き上げ力の一部は係止部材３４を退避させる力に変換される。そして、この力を受けてバネＳが圧縮されて係止部材３４が退避し、係止部材３４と上係止穴２２ｘ１との係合が解除される。そして、ハンガー支柱２２をさらにスライドさせて引き上げ、ハンガー支柱２２の下係止穴２２ｘ２の高さ位置と係止部材３４の高さ位置とを一致させると、前記バネＳの弾性力により係止部材３４が前方に押し出されて前記下係止穴２２ｘ２に係合することにより、クリックストップ機構ＣＳが機能し、ハンガー部２が使用位置Ｕに保持される。なお、前記下係止穴２２ｘ２の下縁部は、前記下係止穴２２ｘ２の上縁部及び前記上係止穴２２ｘ１の下縁部と比較してさらに前方に隆起させて構成しているので、ハンガー部２を使用位置Ｕを越えて上昇させるには、前記下係止穴２２ｘ２の上縁部及び前記上係止穴２２ｘ１の下縁部を越えてハンガー部２を移動させるよりも強い操作力を必要とする。
【００４０】
また、ハンガー本体２１またはハンガー支柱２２に、前記図９の実線に示す使用位置Ｕから押し下げる力を加えると、下係止穴２２ｘ２の上縁部を介して係止部材３４の上縁部に押し下げ力が伝達される。しかして、下係止穴２２ｘ２の上縁部は前上方に向かって傾斜しているとともに、係止部材３４の上縁部がこの下係止穴２２ｘ２の上縁部にテーパー係合しているので、前記引き上げ力の一部は係止部材３４を退避させる力に変換される。そして、この力を受けてバネＳが圧縮され、係止部材３４が退避して、係止部材３４と下係止穴２２ｘ２との係合が解除される。そして、ハンガー支柱２２をさらにスライドさせて押し下げ、ハンガー支柱２２の上係止穴２２ｘ１の高さ位置と係止部材３４の高さ位置とが一致すると、前記バネＳの弾性力により係止部材３４が前方に押し出されて前記上係止穴２２ｘ１に係合することによりクリップストップ機構ＣＳが機能し、ハンガー部２が前記図９の想像線に示す収納位置Ｎに保持される。
【００４１】
以上に述べたように、本実施形態に係る椅子Ｃは、ハンガー部２を、ハンガー本体２１の高さ位置が背もたれ１３の上端１３ｘと略同一である収納位置Ｎと、ハンガー本体２１がこの収納位置Ｎよりも上方に位置する使用位置Ｕとのいずれかに選択的に保持させる機能を有するクリックストップ機構ＣＳを具備する。したがって、ハンガー部２そのものを昇降させるだけの簡単な操作により、ハンガー部２を収納位置Ｎから引き出して使用位置Ｕに位置させることや、使用位置Ｕから押し下げて収納位置Ｎに収納することができるようになる。また、収納位置Ｎにおいて、ハンガー本体２１の高さ位置を背もたれ１３の上端１３ｘと略同一とし、ハンガー本体２１を背もたれ１３の上端１３ｘと近接させているので、ハンガー本体２１に掛ける衣類ＣＬを脱いで片手で持った状態でも、ハンガー部２を収納位置Ｎから引き出す際に、背もたれ１３の上端１３ｘとハンガー本体２１とにそれぞれもう片方の手の指又は手首を掛け、背もたれ１３の上端１３ｘを支点としてハンガー部２を使用位置Ｕに向けて上昇させる一連の操作を容易に行うことができる。
【００４２】
さらに、収納位置Ｎにおいて、ハンガー本体２１と背もたれ１３とを平面視略隙間なく配置していることから、収納位置Ｎにおいては、ハンガー本体２１が背もたれ１３の上端１３ｘに略隙間なく沿うので、収納位置Ｎに保持させたハンガー部２のハンガー本体２１に衣服を掛けると、背もたれ１３に掛ける場合と同様の不具合が発生することが容易に認識され、ハンガー部２を引き上げて使用位置Ｕに移動させるように誘導できる。加えて、ハンガー本体２１が背もたれ１３の上端１３ｘに略隙間なく沿っているので、上述したような片手で背もたれ１３の上端１３ｘを支点としてハンガー部２を使用位置Ｕに向けて上昇させる操作を非常に簡単に行うことができる。
【００４３】
加えて、前記ハンガー本体２１を背もたれ１３の幅寸法の略全域にわたって設けているので、背もたれ１３の幅寸法のどの部分に手を掛けても、ハンガー本体２１を把持してこのハンガー本体２１を引き上げるようにできる。
【００４４】
また、ハンガー支柱を複数設ける構成では、ハンガー支柱を同期して昇降させる必要があるが、本実施形態では、ハンガー本体２１からハンガー支柱２２を１本だけ下方に延伸して設けているので、ハンガー支柱２２の昇降を同期させて行う必要がなく、したがって、ハンガー部２の昇降動作をより簡単に行うようにすることができる。
【００４５】
さらに、前記ハンガー支柱２２を可撓性のものにしているので、ハンガー部２を押すと椅子Ｃ全体が移動する前にハンガー支柱２２がねじれたり曲がったりする。したがって、ハンガー部２が椅子Ｃの移動操作部として誤解されにくい。すなわち、ハンガー部２を押して椅子Ｃを移動させようとし、ハンガー部２の特にハンガー本体２１とハンガー支柱２２との境界付近に無理な力がかかる不具合が起こりにくい。また、ハンガー本体２１に掛けた衣類ＣＬを斜めに引っ張っても、ハンガー本体２１の向きを追随して変えるべくハンガー支柱２２がねじれるので、ハンガー本体２１に衣類ＣＬが引っ掛かる不具合も起こりにくい。
【００４６】
加えて、前記ハンガー本体２１と前記ハンガー支柱２２とを一体に形成しているので、ハンガー本体２１のどの部位にハンガー部２を昇降させる作用を加えても、ハンガー本体２１とハンガー支柱２２との間にこれらを接合する部材がないので作用が直接ハンガー支柱２２に伝わり、効果的にハンガー部２を昇降させることができ、ハンガー部２の昇降動作の便の更なる向上を図ることができる。
【００４７】
また、前記使用位置Ｕでは、ハンガー本体２１を背もたれの背面１３ａよりも後方に位置づけているので、この使用位置Ｕにおいてはハンガー本体２１にかけた衣類ＣＬをも図３及び図９に示すように背もたれの背面１３ａよりも後方に位置づけられ、衣類ＣＬが着座者の背中で押さえられて衣類ＣＬに皺ができる不具合が起こりにくい。
【００４８】
さらに、クリックストップ機構ＣＳが、前記ハンガー取付具３に設けた弾性力により進退可能な係止部材３４と、前記ハンガー支柱２２に設けられ、前記係止部材３４と係合する上係止穴２２ｘ１及び下係止穴２２ｘ２とを具備するとともに、前記係止部材３４を前記上係止穴２２ｘ１又は下係止穴２２ｘ２と係合させることによりハンガー部２を保持するように構成されているので、弾性力により係止部材３４を上係止穴２２ｘ１又は下係止穴２２ｘ２に係合した状態に保持し、またハンガー部の引き上げ操作により係止部材３４を上係止穴２２ｘ１又は下係止穴２２ｘ２から退避させるようにして、このようなクリックストップ機構ＣＳを簡単な構成で実現できる。
【００４９】
特に、本実施形態では前記係止部材３４の前記上係止穴２２ｘ１又は下係止穴２２ｘ２と対向する部位をテーパー状に形成しているので、簡単な構成でハンガー部２を昇降させる力を、係止部材３４を退避させ、上係止穴２２ｘ１及び下係止穴２２ｘ２との係合を解除させる力に変換することができる。
【００５０】
さらに、ハンガー支柱２２の下係止穴２２ｘ２の下縁部を、この下係止穴２２ｘ２上縁部、及び上係止穴２２ｘ１の下縁部よりも隆起させて形成しているので、このようなハンガー部材２を、誤って使用位置Ｕからさらに上方に引き上げても、この下係止穴２２ｘ２の下縁部を越えて移動させるには、下係止穴２２ｘ２上縁部、及び上係止穴２２ｘ１の下縁部を越えて移動させるよりも強い操作力をハンガー部２に加える必要があり、このハンガー部２がハンガー取付具３及び椅子本体１から抜脱させる誤操作の発生を抑えることができる。
【００５１】
一方、図８及び図９に示すように、ハンガー支柱２２の下係止穴２２ｘ２の下縁部はテーパー状に形成しているので、衣類ＣＬが強い力で無理に上方に引張られた場合には、衣類ＣＬの上方への移動に追随してハンガー部２がハンガー取付具３及び椅子本体１から抜脱し、衣類ＣＬが破れる不具合の発生を抑えるようにしている。
【００５２】
加えて、前記クリックストップ機構ＣＳをハンガー支柱２の前方に設けているので、ハンガー取付具３の側方や後方にクリックストップ機構ＣＳのためのスペースが必要なく、ハンガー取付具３の見栄えを整えることができる。
【００５３】
なお、本発明は以上に述べた実施形態に限られない。
【００５４】
例えば、上述した実施形態において、ハンガー部を前記収納位置又は使用位置に選択的に保持するクリックストップ機構を具備させる代わりに、椅子本体に、ハンガー部を載置してハンガー本体の高さ位置が背もたれの上端と略同一である収納位置に保持する部位であるハンガー保持部を設けるとともに、前記収納位置よりも上方に位置する使用位置にハンガー部を保持する機能を有するクリックストップ機構を具備する構成を採用してもよい。このような構成を得るためには、ハンガー取付具をハンガー保持部としても機能するようにしてもよいし、背もたれから突出してハンガー保持部を別に設けてもよい。
【００５５】
このようなものであっても、ハンガー部を収納位置に保持させた状態の解除は、ハンガー部そのものを持ち上げる簡単な操作により行うことができ、したがって、上述した実施形態により得られる効果は全て得られる。
【００５６】
また、使用位置は複数箇所に設けてもよい。この場合、ハンガー本体の高さ位置を、このハンガー本体に掛ける衣類の長さ寸法に応じてより好適な位置に設定することができる。このような効果を実現させる構成として、例えば、上述した実施形態における係止穴を、ハンガー部を各使用位置に保持させる箇所にそれぞれ設ける構成が考えられる。
【００５７】
加えて、クリックストップ機構も、少なくともハンガー部を使用位置に保持可能なものであればどのように構成してもよい。例えば、ハンガー部を保持する係止部材は、基部をばねに接続してばねの弾性力により進退する構成以外に、ハンガー部が昇降すると係止部材自体が弾性変形してハンガー部材に設けた係止穴から退避するように構成する態様も考えられる。この場合、係止部材及び係止穴は必ずしもテーパー係合する必要はない。一方、係止部材は、前後方向でなく、例えば左右方向に進退するようにしてもよい。この場合、例えばハンガー支柱の左右両側面に係止穴を設けるとともに、左右の係止穴にそれぞれ係止部材を係合させてハンガー部を保持させるようにする態様が考えられる。さらに、係止穴をハンガー支柱の背面に設けるとともに、係止部材をハンガー支柱の後方に位置させる態様もまた考えられる。この場合、上述した実施形態においてベースを前後逆にしてブラケットに取り付け、またはブラケットと一体に形成する態様が一例として考えられる。これらの場合、ハンガー支柱はハンガー取付具の後端部に挿し通す態様をとる必要はない。
【００５８】
また、ハンガー本体を、衣類を斜めに引っ張っても衣類の袖が引っかからないような形状や、ハンガー部を押して椅子を移動させ得ないような形状に形成して、ハンガー支柱を可撓性でないものに構成してもよい。
【００５９】
一方、ハンガー支柱を複数設けた上で、ハンガー支柱の左右移動を規制する部材を別に設ける等、複数のハンガー支柱が必ず同期して昇降するように構成してもよい。
【００６０】
そして、誤って収納位置に保持させた状態のハンガー本体に衣類を掛けないように誘導するよう構成したものであれば、収納位置において背もたれとハンガー本体との間に平面視空間が存在するように構成してもよい。
【００６１】
加えて、ハンガー取り付け具は、上述した実施形態で述べた以外のものであっても、椅子本体にハンガー部を取り付け可能なものであればよく、さらに椅子本体にハンガー部を取り付けるハンガー取付部を形成し、クリックストップ機構をハンガー取り付け部とハンガー部との間に設けても構わない。
【００６２】
その他、本発明の趣旨を損ねない範囲で種々に変形してよい。
【００６３】
【発明の効果】
本発明に係る椅子は、クリックストップ機構を機能させることによりハンガー部を前記収納位置又は使用位置に選択的に保持するようにでき、あるいは椅子本体のハンガー部を載置して保持する部位であるハンガー保持部にハンガー部を載置させて前記収納位置にハンガー部を保持するとともに前記使用位置に前記クリックストップ機構を機能させて保持するようにできる。したがって、ハンガー部を収納位置に保持させた状態を解除し、ハンガー部を上昇させて使用位置に保持させる一連の操作を、ハンガー部そのものを収納位置から引き出し、使用位置まで上昇させる簡単な操作により行うことができる構成を実現できる。さらに、収納位置において、ハンガー本体の高さ位置を背もたれの上端と略同一にし、ハンガー本体と背もたれの上端とを近接させているので、ハンガー部に掛ける衣服を脱いで片手に持った状態でも、ハンガー本体を収納位置から引き出す操作を、背もたれの上端とハンガー本体とにそれぞれもう片方の手の指又は手首を掛け、背もたれの上端を支点としてハンガー本体に上昇させる力を加えることにより行うことができる。すなわち、ハンガー部を上昇させて保持させるための一連の操作を片手により簡単な操作で行える構成を実現できる。
【００６４】
加えて、このように構成しているものであれば、ハンガー部を使用位置から収納位置まで移動させて収納位置に保持させることや、使用位置を複数設定した場合に使用位置間を昇降移動させて移動させた先の使用位置に保持させることも、ハンガー部そのものを片手で把持して昇降させる力を加え、ハンガー部を所望の位置まで移動させるだけの簡単な操作により行うことができる構成を実現できる。
【図面の簡単な説明】
【図１】本発明の一実施形態に係る椅子の正面図。
【図２】同実施形態に係る椅子の背面図。
【図３】同実施形態に係る椅子の側面図。
【図４】同実施形態に係る椅子の平面図。
【図５】同実施形態に係る椅子に用いられるハンガー本体を示す図。
【図６】同実施形態に係る椅子に用いられるハンガー取付具のベースを示す図。
【図７】同実施形態に係る椅子に用いられるハンガー取付具のブラケットを示す図。
【図８】同実施形態に係る椅子のハンガー部を収納位置に保持した状態のハンガー部付近の中央側断面図。
【図９】同実施形態に係る椅子のハンガー部を使用位置に保持した状態のハンガー部付近の中央側断面図。
【図１０】同実施形態に係る椅子に用いられるハンガー取付具カバーを示す図。
【図１１】同実施形態に係る椅子に用いられる係止部材を示す図。
【符号の説明】
Ｃ…椅子
１…椅子本体
１３…背もたれ
１３ａ…背もたれの背面
１３ｘ…背もたれの上端
２…ハンガー部
２１…ハンガー本体
２２…ハンガー支柱
２２ｘ１…上係止穴（係止穴）
２２ｘ２…下係止穴（係止穴）
３…ハンガー取付具
３４…係止部材
３４ａ…係止部材の先端部（係止部材の係止穴と対向する部位）
Ｓ…バネ
ＣＳ…クリックストップ機構
ＣＬ…衣類
Ｎ…収納位置
Ｕ…使用位置
【図１】
2004174145.tif 000003
【図２】
2004174145.tif 000004
【図３】
2004174145.tif 000005
【図４】
2004174145.tif 000006
【図５】
2004174145.tif 000007
【図６】
2004174145.tif 000008
【図７】
2004174145.tif 000009
【図８】
2004174145.tif 000010
【図９】
2004174145.tif 000011
【図１０】
2004174145.tif 000012
【図１１】
2004174145.tif 000013